(57)【要約】【課題】ガラス板と合紙とが積層されたガラス板積層体を組立てる際、合紙の破れ等がなくガラス板へ合紙を円滑に積層する方法の提供、およびガラス板積層体から合紙を除去する際、合紙の破れ等がなく合紙を円滑に除去できる合紙の除去方法を提供する。【解決手段】ガラス板と合紙とが積層されたガラス板積層体を組立てる際、ガラス板面への合紙の積層工程が行なわれる環境雰囲気を７ｇ／ｍ３以上、１３ｇ／ｍ３以下の絶対湿度の範囲とすることを特徴とするガラス板への合紙の積層方法、および複数枚のガラス板を、隣接するガラス板の間に合紙を挟んで積層されたガラス板積層体から合紙を除去する際、合紙の除去工程が行なわれる環境雰囲気を７ｇ／ｍ３以上、１３ｇ／ｍ３以下の絶対湿度の範囲とすることを特徴とするガラス板積層体からの合紙の除去方法。【選択図】図１
2016169053.tif 000002
【特許請求の範囲】
【請求項１】
ガラス板と合紙とが積層されたガラス板積層体を組立てる際、ガラス板面への合紙の積層工程が行なわれる環境雰囲気を７ｇ／ｍ３以上、１３ｇ／ｍ３以下の絶対湿度の範囲とすることを特徴とするガラス板への合紙の積層方法。
【請求項２】
前記したガラス板面への合紙の積層工程が行なわれる環境雰囲気の温度を、１５〜２５℃とすることを特徴とする請求項１に記載のガラス板への合紙の積層方法。
【請求項３】
ガラス板用パレットに対し、ガラス板と合紙とを斜め縦姿勢で積層しガラス板積層体を組立てることを特徴とする請求項１または２に記載のガラス板への合紙の積層方法。
【請求項４】
複数枚のガラス板を、隣接するガラス板の間に合紙を挟んで積層されたガラス板積層体から合紙を除去する際、合紙の除去工程が行なわれる環境雰囲気を７ｇ／ｍ３以上、１３ｇ／ｍ３以下の絶対湿度の範囲とすることを特徴とするガラス板積層体からの合紙の除去方法。
【請求項５】
前記した合紙の除去工程が行なわれる環境雰囲気の温度を、５〜３０℃とすることを特徴とする請求項４に記載のガラス板積層体からの合紙の除去方法。
【請求項６】
ガラス板用パレットに斜め縦姿勢で載置されたガラス板積層体から合紙を除去することを特徴とする請求項４または５に記載のガラス板積層体からの合紙の除去方法。
【発明の詳細な説明】
【技術分野】
【０００１】
本発明は、複数枚のガラス板と合紙とが積層されたガラス板積層体を組立てる際のガラス板への合紙の積層方法、および合紙を挟んでガラス板が積層されたガラス板積層体から合紙を除去する方法に関する。
【背景技術】
【０００２】
液晶ディスプレイ装置、有機ＥＬディスプレイ装置やプラズマディスプレイ装置等のフラットディスプレイ装置で使用される大寸法のガラス板は、保管時、梱包時、あるいは次の工程への移送時に、ガラス板同士が直接接触しないように、隣り合うガラス板の間に合紙を挟んで、キズ発生、破損やガラス板同士の密着等を防止している。このようなガラス板積層体を組立てる際のガラス板面への合紙の積層工程は、例えば、斜め縦積みパレットに斜めに立て掛けられたガラス板の表面に、あるいは平積みパレットに平置きされたガラス板の表面に、吸着パッドにより合紙を吸着して合紙を一枚ずつ移動してガラス板に重ねることによって行なわれる。また、このように、保管、あるいは梱包されたガラス板を次の工程で処理する場合、合紙を挟んでガラス板が積層されたガラス板積層体から吸着パッドを有するロボットや専用機によって合紙を１枚ずつ取り出すことが行なわれる。
【０００３】
上記したようなガラス板積層体から合紙を除去する方法として、特許文献１には、アームと、前記アームの先端部に係合されたヘッドと、前記アームを移動させる移動機構とを備え、前記ヘッドが、挟持機構を少なくとも１つ備える合紙除去装置を用い、前記移動機構を、前記ヘッドがガラス板に接近する方向に前記アームを移動させ、前記挟持機構が、最表面の合紙を挟持し、前記移動機構が、前記ヘッドがガラス板から離れる方向に前記アームを移動させ、その後前記挟持機構が、前記挟持された合紙を解放して当該合紙をガラス板から取り除くことを特徴とする合紙除去方法について開示されている。
【０００４】
また、ガラス板積層体から合紙を除去する装置として、特許文献２には、回動可能に設けられた一対の保持片と、この保持片を進退自在に支持した支持部材と、この支持部材を進退させる駆動装置とを設け、前記保持片の先端部が回動する円弧上に前記基板表面の合紙が位置する状態で、前記支持部材の移動を停止させ、前記保持片を回動させて前記合紙を一対の保持片で挟持し、前記支持部材を退避させ、前記合紙を前記基板から剥離することを特徴とする合紙剥離装置について開示されている。
【０００５】
しかし、上記した特許文献１および２には、複数枚のガラス板を、隣り合うガラス板の間に合紙を挟んで積層されたガラス板積層体から合紙を除去する際、どのような条件であれば、合紙を円滑に吸着・把持し、合紙が破れたりすることなく、ガラス板積層体から合紙を支障なく除去できるかという課題については何等言及されていない。
【０００６】
本発明者は、ガラス板と合紙とが積層されたガラス板積層体を組立てる工程においてガラス板へ積層する合紙を１枚ずつ吸着パッドにより吸着・把持することができ、合紙が破れることなくガラス板の所定の領域に良好に積層することができる条件、またガラス板積層体から合紙を除去する工程においてガラス板積層体の合紙を１枚ずつ吸着パッドにより吸着・把持することができ、合紙が破れることなくガラス板から除去することができ、又除去された合紙を所定の合紙載置場所に支障なく移動することができる諸条件について着目し、実験を重ねて結果、ガラス板への合紙の積層工程の環境雰囲気の絶対湿度に、またガラス板積層体からの合紙の除去工程の環境雰囲気の絶対湿度に大きく相関関係があることを見出した。
【先行技術文献】
【特許文献】
【０００７】
【特許文献１】特開２００９-１２６６０９号公報
【特許文献２】特開２００７-１０６５６９号公報
【発明の概要】
【発明が解決しようとする課題】
【０００８】
本発明は、ガラス板へ積層する合紙を１枚ずつ吸着パッドにより吸着・把持することができ、また合紙が破れることなくガラス板の所定の領域に積層することができるガラス板への合紙の積層方法、およびガラス板積層体から合紙を１枚ずつ吸着パッドにより吸着・把持することができ、また合紙が破れることなくガラス板から除去することができ、また除去された合紙を所定の合紙載置場所に移送することができるガラス板積層体から合紙を除去する方法を提供することを目的とする。
【課題を解決するための手段】
【０００９】
本発明は、上記したガラス板へ合紙を積層する環境雰囲気について、またガラス板積層体から合紙を除去する環境雰囲気について実験を重ね、検討の結果、発明されたものであり、以下の構成を有するものである。
【００１０】
（１）本発明のガラス板への合紙の積層方法は、ガラス板と合紙とが積層されたガラス板積層体を組立てる際、ガラス板面への合紙の積層工程が行なわれる環境雰囲気を７ｇ／ｍ３以上、１３ｇ／ｍ３以下の絶対湿度の範囲とすることを特徴とする。
【００１１】
（２）上記（１）に記載のガラス板への合紙の積層方法において、前記したガラス板面への合紙の積層工程が行なわれる環境雰囲気の温度を、１５〜２５℃とすることを特徴とする。
【００１２】
（３）上記（１）または（２）に記載のガラス板への合紙の積層方法において、ガラス板用パレットに対し、ガラス板と合紙とを斜め縦姿勢で積層してガラス板積層体を組立てることを特徴とする。
【００１３】
（４）また、本発明のガラス板積層体からの合紙の除去方法は、複数枚のガラス板を、隣り合うガラス板の間に合紙を挟んで積層されたガラス板積層体から合紙を除去する際、合紙の除去工程が行なわれる環境雰囲気を７ｇ／ｍ３以上、１３ｇ／ｍ３以下の絶対湿度の範囲とすることを特徴とする。
【００１４】
（５）上記（４）に記載のガラス板積層体からの合紙の除去方法において、前記した合紙の除去工程が行なわれる環境雰囲気の温度を、５〜３０℃とすることを特徴とする。
【００１５】
（６）上記（４）または（５）に記載のガラス板積層体からの合紙の除去方法において、ガラス板用パレットに斜め縦姿勢で載置されたガラス板積層体から合紙を除去することを特徴とする。
【発明の効果】
【００１６】
本発明のガラス板への合紙の積層方法によれば、合紙を吸着パッドを用いて１枚ずつ吸着・把持してガラス板面に対し積層する際、合紙を円滑に吸着・把持できず合紙が破れてしまい、合紙をガラス板に積層できないという問題点が解決でき、ガラス板への合紙の積層工程を円滑に遂行することができる。
【００１７】
また、本発明のガラス板積層体からの合紙の除去方法によれば、ガラス板積層体から吸着パッドを用いてガラス板面から合紙を１枚ずつ吸着し取り出す際、合紙が破れてしまい、合紙を取り出すことができないという問題点が解決でき、ガラス板積層体からの合紙の除去工程を円滑に遂行することができる。
【図面の簡単な説明】
【００１８】
【図１】本発明のガラス板への合紙の積層方法を模式的に示す説明図。
【図２】ガラス板積層体からの合紙の除去方法を模式的に示す説明図。
【発明を実施するための形態】
【００１９】
以下、本発明のガラス板への合紙の積層方法について、図１を参照しながら説明する。
【００２０】
本発明のガラス板への合紙の積層工程は、例えば、ガラス板製造ラインにて成形されたリボン状のガラス板を、所定の寸法の矩形状のガラス板となるように切断し、ガラス板を採板場所まで移送し、この場所にてガラス板用パレットにガラス板を載置する際に、ガラス板の１枚ごとに、キズ防止、破損防止のための合紙を１枚ずつ積層するということで行なわれる。このようなガラス板への合紙の積層工程は、上記したようなガラス板製造ラインばかりでなく、洗浄され、検査されたガラス板を次工程内に移送する際においても、また客先への出荷に当たり梱包する際にも、ガラス板用パレットに載置するときに、同様なガラス板への合紙の積層工程が行なわれる。
【００２１】
例えば、本発明のガラス板への合紙の積層工程は、図１に示されるように、基台部２１と、背面部２２と、傾斜台座部２３と、傾斜背もたれ部２４とから基本的に構成された、斜め縦置きタイプのガラス板用パレット２５に対し、吸着パッド３０を先端に有するロボットハンドを備えたガラス板ハンドリング装置（図示せず）により、合紙１０とガラス板Ｇとをそれぞれ交互に吸着して積層してゆき、複数枚のガラス板の間に合紙が挟まれたガラス板積層体２０が組み立てられる。このタイプにおいては、水平面に対し少し傾斜している傾斜台座部２３（例えば、水平面に対し７０°〜７４°傾斜しているガラス板の端面を支持する傾斜台座部）にガラス板Ｇの下端が載り、傾斜台座部２３の上面と直交し鉛直面に対して少し傾斜している傾斜背もたれ部２４に、積層されていくガラス板Ｇ群の背面部分がもたれ掛る。
【００２２】
図１に示した例においては、まず吸着パッド３０を先端に有するロボットハンドを備えたガラス板ハンドリング装置がガラス板積層体組立用の合紙の供給のため、合紙の置き場に合紙を取りにゆき、吸着パッドで合紙を吸着・把持してガラス板用パレット２５の傾斜背もたれ部２４に掛け、吸着を解除し、次いでロボットハンドはガラス板積層体組立用のガラス板の供給のためのガラス板の置き場、あるいはガラス板が搬送されてくる位置に、ガラス板を取りにゆき、吸着パッドでガラス板を吸着・把持してガラス板用パレット２５の合紙が掛けられた傾斜背もたれ部２４に積層し、吸着を解除し、合紙面にガラス板を積層する。次いで、次の合紙の積層のため、上記するロボットハンドがガラス板積層体組立用の合紙の供給のための合紙の置き場に再度合紙を取りにゆき、吸着パッドで合紙を吸着、把持してガラス板用パレット２５の傾斜背もたれ部２４に立て掛けられたガラス板に掛け、吸着を解除し、次いで、次のガラス板の積層のため、ロボットハンドはガラス板積層体組立用のガラス板の供給のためのガラス板の置き場、あるいはガラス板が搬送されてくる位置に再度ガラス板を取りにゆき、吸着パッドでガラス板を吸着、把持して吸着を解除し、ガラス板に合紙が掛けられた合紙面にガラス板を積層する。この操作を繰り返すことによって、ガラス板積層体２０が組み立てられる。
【００２３】
次に、ガラス板積層体からの合紙の除去方法について、図２を参照しながら説明する。
【００２４】
本発明のガラス板積層体からの合紙の除去工程は、例えば、ガラス板用パレットに載置されたガラス板積層体のガラス板を次の処理工程に移す際に、あるいはガラス積層体を開梱するなどの際に、ガラス積層体のガラス板の１枚、１枚ごとの間に挿入されたキズ防止、破損防止のための合紙を１枚ずつ取り剥がす、すなわち除去するということで行なわれる。
【００２５】
例えば、本発明のガラス板積層体からの合紙の除去工程は、図２に示されるように、図１と同様な斜め縦置きタイプのガラス板用パレット２５に載置された、複数枚のガラス板Ｇと合紙１０とが積層されたガラス板積層体から、吸着パッド３０を先端に有するロボットハンドを備えたガラス板ハンドリング装置（図示せず）により、合紙１０とガラス板Ｇとをそれぞれ交互に吸着、把持して、合紙は、合紙置き場に移送され、ガラス板Ｇは、ガラス板Ｇの次の工程のための載置場所に移送される。
【００２６】
図２に示した例においては、まずガラス板用パレット２５の傾斜背もたれ部２４に斜め縦置きされたガラス板積層体２０に対して最外表面の合紙１０を取り剥がすため、吸着パッド３０を先端に有するロボットハンドを備えたガラス板ハンドリング装置が操作されて、吸着パッド３０が合紙を取りにゆき、吸着パッド３０で合紙を吸着・把持して、ガラス板積層体２０から合紙１０を除去し、除去された合紙を合紙の置き場に移送する。
【００２７】
次いで、除去された合紙の下層のガラス板を取り出すため、吸着パッド３０が当該ガラス板Ｇを迎えにゆき、当該吸着パッド３０が当該ガラス板Ｇを吸着・把持して、ガラス板積層体２０からガラス板を取り出し、取り出されたガラス板を、ガラス板の置き場、あるいはガラス板の次の工程のステーションに移送する。次いで、次の合紙の除去のため、吸着パッド３０が合紙を取りにゆき、吸着パッド３０で合紙を吸着・把持して、ガラス板積層体２０から合紙を除去し、除去された合紙を合紙の置き場に移送する。次いで、次のガラス板の取り出しのため、吸着パッド３０が当該ガラス板Ｇを吸着・把持して、ガラス板積層体２０からガラス板を取り出し、取り出されたガラス板をガラス板の置き場、あるいはガラス板の次の工程のステーションに移送する。この操作を繰り返すことによって、ガラス板積層体２０から合紙が除去され、またガラス板が取り出される。
【００２８】
なお、図１および図２においては、斜め縦置きタイプのガラス板用パレットの例を示したが、ガラス板を平置きして重ねる平置きタイプのガラス板用パレットにおいても同様に使用できる。
【００２９】
上記したガラス板積層体２０は、ガラス板を出荷する際であれば、ガラス板梱包体であり、ガラス板を次の工程へ移送するために、保管する際であれば、ガラス板保管体と称することもできる。
【００３０】
図示した例は、ガラス板Ｇおよび合紙１０の大きさに応じて、ガラス板または合紙の上辺側領域、中間領域、下辺側領域を吸着して把持することができるように、３列の吸着パッド列を有するロボットハンドを備えたガラス板ハンドリング装置であるが、ガラス板Ｇおよび合紙１０の大きさに応じて、吸着パッド列は、１列であっても２列であっても、４列以上など適宜のパターンを採用してもよい。同様に各列における吸着パッドの数も、ガラス板Ｇおよび合紙１０の大きさに応じて適宜の数が採用される。また、吸着パッドとしては、ガラス板Ｇおよび合紙の両方に適用できるものが、ハンドリング装置の構造を複雑にしないという面から好ましいが、ガラス板Ｇおよび合紙１０のそれぞれに対応する最適な構造を有する吸着パッドを使用してもよい。
【００３１】
ガラス板Ｇまたは合紙１０を吸着パッドにより把持する際の吸着力は、ガラス板の大きさ、重量、厚さ等のガラス板Ｇの仕様、また合紙１０の材質、厚さ等によって最適な範囲が選択される。
【００３２】
また、ガラス板への合紙の積層工程において、ガラス板Ｇ面への合紙１０の積層が全面に渡って均一に行なわれるように、ガラス板Ｇ面へ積層された合紙１０の面に対し、風を送る空気吹出し装置を付設しても良い。
【００３３】
また、ガラス板積層体からの合紙の除去工程において、合紙の除去が容易となるように、ガラス板Ｇと合紙１０との間に、風を送る空気吹出し装置を付設しても良いし、または合紙１０の除去が容易となるように、ガラス板Ｇの辺部からはみ出した合紙１０の端部を把持して合紙１０の移動が容易となるように、合紙１０の端部を把持する把持手段を付設しても良い。
【００３４】
本発明においては、上記したガラス板へ合紙を積層する際、ガラス板面への合紙の積層工程が行なわれる環境雰囲気を７ｇ／ｍ３以上、１３ｇ／ｍ３以下の絶対湿度の範囲とすることを特徴する。
【００３５】
上記した環境雰囲気が７ｇ／ｍ３未満の絶対湿度であると、合紙が乾燥しやすくなり、合紙を吸着パッドにより吸着したとき合紙が破れやすくなり、また合紙を吸着パッドにより吸着し、ガラス板に積層するときに合紙が破れやすくなり、好ましくない。
【００３６】
一方、１３ｇ／ｍ３超の絶対湿度であると、合紙が水分により合紙の腰が弱くなり、特に、斜め縦置きタイプのガラス板用パレットを使用する場合、合紙をガラス板面の積層する際に合紙が倒れやすくなり、好ましくない。
【００３７】
特に、ガラス板面への合紙の積層工程が行なわれる環境雰囲気を上記したように７ｇ／ｍ３以上、１３ｇ／ｍ３以下の絶対湿度の範囲とすることにより、合紙の吸着・把持の際、ロボットハンドによって合紙に負荷がかかっても、合紙が破れるということもなく、一枚ずつ合紙をガラス板に対し積層することができ、ガラス板面への合紙の積層作業が円滑となり、合紙の破れによるガラス板面への合紙の積層作業の中断を少なくすることができ、ガラス板面への合紙の積層工程の効率化を図ることができる。
【００３８】
また、上記したガラス板への合紙の積層工程が行なわれる環境雰囲気の温度は、通常の作業温度範囲である１５〜２５℃の温度範囲でよい。
【００３９】
なお、ガラス板面への合紙の積層工程が行なわれる環境雰囲気とは、ガラス板を合紙とともにガラス板用パレットに載置する場所の環境雰囲気をいい、ガラス板に合紙を積層する場所において合紙が置かれている場所の環境雰囲気も含むものとする。
【００４０】
また、ガラス板積層体から合紙を除去する際、合紙の除去工程が行なわれる環境雰囲気を７ｇ／ｍ３以上、１３ｇ／ｍ３以下の絶対湿度の範囲とすることを特徴する。
【００４１】
上記した環境雰囲気が７ｇ／ｍ３未満の絶対湿度であると、合紙が乾燥しやすくなり、合紙を吸着パッドにより吸着したとき合紙が破れやすくなり、また合紙を吸着パッドにより吸着し、ガラス板から除去するとき、すなわち取り剥がすときに合紙が破れやすくなり、好ましくない。
【００４２】
一方、１３ｇ／ｍ３超の絶対湿度であると、合紙が水分により合紙の腰が弱くなり、特に、斜め縦置きタイプのガラス板用パレットを使用する場合、ガラス板積層体から合紙を除去する際に合紙が倒れやすくなり、好ましくない。
【００４３】
特に、ガラス板積層体から合紙を除去する際、合紙の除去工程が行なわれる環境雰囲気を上記したように７ｇ／ｍ３以上、１３ｇ／ｍ３以下の絶対湿度の範囲とすることにより、合紙の取り剥がしのためのロボットハンドによって合紙に負荷がかかっても、合紙が破れるということもなく、一枚ずつ合紙を取り剥がすことができ、ガラス板積層体からの合紙の除去作業が円滑となり、合紙の破れによるガラス板積層体からの合紙の除去作業の中断を少なくすることができ、ガラス板積層体からの合紙の除去工程の効率化を図ることができる。
【００４４】
また、ガラス板積層体からの合紙の除去工程が行なわれる環境雰囲気の温度は、通常の作業温度範囲である５〜３０℃の温度範囲でよい。
【００４５】
なお、ガラス板積層体からの合紙の除去工程が行なわれる環境雰囲気とは、ガラス板積層体から合紙の除去のためにガラス板用パレットが置かれている場所の環境雰囲気をいい、ガラス板積層体から除去された合紙が置かれている場所の環境雰囲気も含むものとする。
【００４６】
なお、上記したそれぞれの環境雰囲気は、クリーンルームであっても良い。
【００４７】
本発明において適用されるガラス板は、ガラス板の組成、板厚、大きさ、用途等に限定されず、各種のガラス板が挙げられるが、例えば、ガラス板の種類としては、液晶ディスプレイ装置、有機ＥＬディスプレイ装置やプラズマディスプレイ装置等のフラットディスプレイ装置のガラス基板として使用される無アルカリガラス板、ソーダライムガラス板、ホウケイ酸塩ガラス板、アルミノホウケイ酸塩ガラス板などが挙げられる。
【００４８】
図示した例のガラス板Ｇは、液晶ディスプレイ用等のＦＰＤ用ガラス基板に使用される無アルカリガラスからなるガラス板で、その厚さは０．４ｍｍ〜０．７ｍｍ程度の矩形状のガラス板である。
【００４９】
また、本発明において、ガラス板を保管、あるいは搬送する際に、ガラス板にキズがついたり、異物の付着、破損を防ぐために、ガラス板の両表面を保護する目的で使用される合紙、すなわち、ガラス板Ｇとガラス板Ｇとの間に挟み込まれる合紙は、上記したように、ガラス板を保管のため、梱包のため、あるいは移送のために、ガラス板積層体としたときに、キズ防止、破損防止やガラス板同士の密着等を防止することができるものであればよく、古紙から回収した再生パルプを主体として含む製紙原料から製造される再生紙である合紙であっても良いし、あるいは古紙を使わないフレッシュパルプを主体とする紙から作られた合紙であってもよい。合紙としては、吸着パッドにより合紙の着脱が容易となるような透気度と有し、ガラス板から合紙を剥がす際に合紙がガラス板に密着して剥がすことが困難となることがない様な平滑度を有し、ガラス板積層体として合紙を介装して重ねて場合に余り嵩張らず、又適度な剛性を確保できるような密度を有していることが好ましい。平滑度としてはＪＩＳ−Ｐ８１１９の規格に従って、透気度としてはＪＩＳ−Ｐ８１１７の規格に従って、また密度としてはＪＩＳ−Ｐ８１１８の規格に従って測定した値が下記の値を有する合紙が代表的なものとして挙げられる。例えば、紙厚が７５μｍ〜９５μｍ、密度が０．５０ｇ／ｃｍ３〜０．７０ｇ／ｃｍ３、裏の平滑度が１５秒以下、表の平滑度が１２秒以下、そして透気度が１０秒以上の合紙が第一の合紙例として挙げられ、また紙厚が６８μｍ〜８８μｍ、密度が０．５７ｇ／ｃｍ３〜０．６７ｇ／ｃｍ３、裏の平滑度が１５秒以下、表の平滑度が１５秒以下、そして透気度が８秒以上、３０秒以下の合紙が第二の合紙例として挙げられる。
【００５０】
また、合紙としては、ガラス板Ｇをより保護しやすくするために、ガラス板Ｇよりも大きいサイズの紙であり、合紙１０の一部は、ガラス板Ｇの辺部からはみ出されているようにするのが、より好ましい。
【００５１】
本発明におけるガラス板積層体は、多数枚のガラス板を、それぞれの隣り合うガラス板の間に合紙を挟んで積層される構成体であり、ガラス板の枚数は、任意であり、またガラス板間に挟み込まれる合紙の枚数も通常１枚であるが、複数枚挟み込んでもよい。ガラス板積層体の好ましい態様は、ガラス板積層体の両側の最外層に合紙がある形の構成体である。
【実施例】
【００５２】
以下、本発明の実施例および比較例について説明する。
【００５３】
なお、例１および例２において使用したガラス板、合紙、および吸着パッドは、以下の通りである。
・ガラス板：無アルカリガラス板（旭硝子（株）製、「ＡＮ１００」）。厚さが０．５ｍｍ、縦寸法が１５００ｍｍ、横寸法が１８００ｍｍの矩形状のガラス板。枚数：３００枚。
・合紙：上記した第一の合紙例。厚さが８５μｍ、縦寸法が１５４５ｍｍ、横寸法が１８５５ｍｍの矩形状の合紙。枚数：３００枚。
・ロボットハンド：１列に３個の吸着パッドを有する吸着パッド列を縦方向に３列形成したロボットハンドを用いた。
【００５４】
（例１）
図１に示した様に、斜め縦置きタイプのガラス板用パレットに上記した合紙とガラス板とをそれぞれ一枚ずつ重ねるガラス板積層体の組立て作業を行なった。
【００５５】
すなわち、図１に概略説明した斜め縦掛けタイプのガラス板用パレット２５を２０台用意し、これらパレット２５の傾斜背もたれ部２４にガラス板を載置するとともに、前述した吸着パッド付きのロボットハンドにより合紙置き場から合紙を吸着、把持して、斜め縦掛けされたガラス板の表面に積層した。ガラス板面への合紙の積層工程が行なわれる環境雰囲気としては、５ｇ／ｍ３、６ｇ／ｍ３、７ｇ／ｍ３、１３ｇ／ｍ３、１４ｇ／ｍ３、１５ｇ／ｍ３の６種類の絶対湿度の条件を選んだ。また、環境雰囲気の温度は、２２℃に設定した。
【００５６】
合紙のガラス板面への積層作業を、ガラス板３００枚、合紙３００枚について順次、繰り返し行なうという試験を行ない、合紙の吸着パッドによる吸着・把持状態（チャックミスの有無）、合紙の破れ状態、ガラス板への合紙の積層状態を観察し、合紙の吸着パッドによる吸着・把持不良（チャックミス）、および合紙の破れ等の不良が生じた合紙の枚数をカウントした。この不良枚数が１枚以上発生したガラスパレットの台数をカウントし、この台数が、１台以上発生した環境条件を総合評価結果として「×」とし、このような問題が生じなかった環境条件を総合評価結果として「○」とし、その結果を、表１に示した。
【００５７】
【表１】
2016169053.tif 000003
【００５８】
上記した表１から判断されるように、ガラス板へ合紙を積層する際のガラス板面への合紙の積層工程が行なわれる環境雰囲気を７ｇ／ｍ３以上、１３ｇ／ｍ３以下の絶対湿度の範囲とすることにより、良好な評価結果が得られる。
【００５９】
（例２）
図２に示した様に、斜め縦置きタイプのガラス板用パレット２５の傾斜背もたれ部２４に載置されたガラス板積層体２０から、前述した吸着パッド付きのロボットハンドにより、合紙を一枚ずつ吸着、把持して、合紙をガラス板積層体から除去するというガラス板積層体からの合紙の除去作業を行なった。ガラス板積層体からの合紙の除去作業が行なわれる環境雰囲気としては、５ｇ／ｍ３、６ｇ／ｍ３、７ｇ／ｍ３、１３ｇ／ｍ３、１４ｇ／ｍ３、１５ｇ／ｍ３の６種類の絶対湿度の条件を選んだ。また、環境雰囲気の温度は、２０℃に設定した。
【００６０】
ガラス板３００枚、合紙３００枚が積層されたガラス板積層体からの合紙の除去作業を、順次、一枚ずつ繰り返し行なうという試験を行ない、合紙の吸着パッドによる吸着・把持状態（チャックミスの有無）、合紙の破れ状態、合紙の除去を観察し、合紙の吸着パッドによる吸着・把持不良（チャックミス）、および合紙の破れ等の不良が生じた合紙の枚数をカウントした。この不良枚数が１枚以上発生したガラスパレットの台数をカウントし、この台数が、１台以上発生した環境条件を総合評価結果として「×」とし、このような問題が生じなかった環境条件を総合評価結果として「○」とし、その結果を、表２に示した。
【００６１】
【表２】
2016169053.tif 000004
【００６２】
上記した表２から判断されるように、ガラス板積層体から合紙を除去する合紙の除去工程が行なわれる環境雰囲気を７ｇ／ｍ３以上、１３ｇ／ｍ３以下の絶対湿度の範囲とすることにより、良好な評価結果が得られる。
【産業上の利用可能性】
【００６３】
本発明のガラス板への合紙の積層方法によれば、ガラス板に対し合紙を吸着パッドを用いて１枚ずつ吸着してガラス板に積層する際、合紙を適切に吸着・把持することができなかったり、合紙が破れてしまったり、合紙をガラス板に積層することができないという問題点を解決でき、ガラス板への合紙の積層工程を円滑に遂行することができる。
【００６４】
また、本発明のガラス板積層体からの合紙の除去方法によれば、ガラス板積層体から吸着パッドを用いてガラス板間に挿入された合紙を１枚ずつ吸着して除去する際、合紙を適切に吸着・把持することができなかったり、合紙が破れてしまったり、合紙を取り出すことができないという問題点を解決でき、ガラス板積層体からの合紙の除去工程を円滑に遂行することができる。
【符号の説明】
【００６５】
Ｇ…ガラス板、１０…合紙、２０…ガラス板積層体、２１…基台部、２２…背面部、２３…傾斜台座部、２４…傾斜背もたれ部、２５…斜め縦置きタイプのガラス板用パレット、３０…吸着パッド
【図１】
2016169053.tif 000005
【図２】
2016169053.tif 000006